(57)【要約】【課題】ガタつきなくパネルの取付孔に係合させることができると共に、取り外す場合には容易に取り外すことのできるパネル係合用クリップを提供する。【解決手段】ベース２と、支柱５と、支柱５の先端と共に略紡錘形状の係合頭部６を構成する複数の係止アーム７と、各係止アーム７の自由端９側に設けられた係合段差８と、ベース２と係止アーム７の間に配置され、パネルＰの取付孔Ｐａへの係合頭部６の係合時に、パネルＰの表面に押圧接触して係合のガタを吸収するバネ性を有したスカート部１０と、を具備し、各係止アーム７の自由端９がスカート部１０まで延長され、スカート部１０が各係止アーム７に対応させて分割され、分割された各スカート部１０が各係止アーム７の自由端９に一体に連結されている。【選択図】図２
2008291979.tif 000002
【特許請求の範囲】
【請求項１】
ベースと、該ベースに突設された支柱と、該支柱の先端から前記ベース側に斜めに延びて径方向内方に撓み変形可能であり、前記支柱の先端と共に、パネルの取付孔に挿入される略紡錘形状の係合頭部を構成する複数の係止アームと、該各係止アームの自由端側に設けられ、前記係合頭部がパネルの取付孔に挿入された際に、パネルの取付孔の孔縁にパネルの裏側から係合することで係合頭部の抜けを阻止する係合段差と、前記ベースと前記係止アームの間に配置され、前記パネルの取付孔への前記係合頭部の係合時に、パネルの表面に押圧接触して係合のガタを吸収するバネ性を有したスカート部と、を具備するパネル係合用クリップにおいて、
前記各係止アームの自由端を前記スカート部まで延長すると共に、前記スカート部を前記各係止アームに対応させて分割し、該分割した各スカート部を、前記各係止アームの自由端に一体に連結したことを特徴とするパネル係合用クリップ。
【発明の詳細な説明】
【技術分野】
【０００１】
本発明は、パネルの取付孔に挿入されることで抜け止め係止される樹脂成形品よりなるパネル係合用クリップに係り、例えば、自動車のワイヤーハーネス用のクランプやワイヤーハーネス保護用のプロテクタなどを車体パネルに取り付ける際に使用されるパネル係合用クリップに関するものである。
【背景技術】
【０００２】
従来、ワイヤーハーネスなどを車体パネルに取り付けるためのこの種のクリップは、基本的に、ワイヤーハーネス側に固定されるベースと、ベースに突設された支柱と、支柱の先端からベース側に斜めに延びて径方向内方に撓み変形可能であり、支柱の先端と共にパネルの取付孔に挿入される略紡錘形状の係合頭部を構成する複数の係止アームと、各係止アームの自由端側に設けられ、係合頭部がパネルの取付孔に挿入された際に、パネルの取付孔の孔縁にパネルの裏側から係合することで係合頭部の抜けを阻止する係合段差と、を有した構成をなしている。なお、ベースと係止アームの間に、パネルの取付孔への係合頭部の係合時に、パネルの表面に押圧接触して係合のガタを吸収するバネ性を有したスカート部が設けられたものもある。
【０００３】
このクリップをパネルの取付孔に係合させる場合は、係合頭部をパネルの取付孔に挿入する。そうすると、挿入に従い、係止アームが取付孔の孔縁に干渉することで、樹脂弾性による反発力に抗して径方向内方に窄まり、窄まりながら係合段差の位置まで係合頭部が挿入されることで、係止アームが弾性復帰して、係合段差がパネルの裏側から取付孔の孔縁に係合し、それにより、係合頭部が抜け止めされてワイヤーハーネスが固定される。その際、スカート部があるものの場合は、スカート部がパネルの表面に押圧接触することで、係合のガタが吸収される。
【０００４】
ところで、この種のパネル係合用クリップは、ワイヤーハーネスの取り替えや車両解体時のワイヤーハーネスの取り外しのために、必要に応じてパネルの取付孔から容易に取り外せることが望ましい。
【０００５】
従来では、パネルの表面側において支柱の根元部分に工具をこじ入れて、大きな力で引っ張ることにより、クリップを外している。しかし、そうすると、係止アームが変形したり破損したりして、取り外し作業が却って簡単にできなくなることがあった。
【０００６】
そこで、容易に取り外せるようにしたクリップが、例えば特許文献１や特許文献２において提案されている。
【０００７】
図５及び図６は特許文献１に記載のクリップを示している。
【０００８】
このクリップは、ワイヤーハーネスＷ側に固定されるベース１０２と、ベース１０２に突設された支柱１０５と、支柱１０５の先端からベース１０２側に斜めに延びて径方向内方に撓み変形可能であり、支柱１０５の先端と共にパネルＰの取付孔Ｐａに挿入される略紡錘形状の係合頭部１０６を構成する複数の係止アーム１０７と、各係止アーム１０７の自由端１０９側に設けられ、係合頭部１０６がパネルＰの取付孔Ｐａに挿入された際に、パネルＰの取付孔Ｐａの孔縁にパネルＰの裏側から係合することで係合頭部１０６の抜けを阻止する係合段差１０８と、ベース１０２と係止アーム１０７の間に配置され、パネルＰの取付孔Ｐａへの係合頭部１０６の係合時に、パネルＰの表面に押圧接触して係合のガタを吸収するバネ性を有したスカート部１１０と、を有している。
【０００９】
ベース１０２には、ワイヤーハーネスＷの外周に巻き付けたバンド１０３を係止するための係止孔１０４が設けられている。また、各係止アーム１０７の自由端１０９はベース１０２側に延長されており、それら自由端１０９が、パネルＰの手前に配置される着脱治具バンド１２０の楔孔１２１に係合可能となっている。
【００１０】
このクリップを使用する場合は、予め着脱治具バンド１２０の楔孔１２１に係止アーム１０７を挿通させた状態にしておき、その状態で係合頭部１０６をパネルＰの取付孔Ｐａに挿入し、係止アーム１０７の係合段差１０８を、取付孔Ｐａの孔縁にパネルＰの裏側から係合させる（図６の状態）。
【００１１】
次にその状態からクリップを取り外す場合は、着脱治具バンド１２０をスライドさせ、楔孔１２１の幅の狭い側を、係止アーム１０７の自由端１０９の位置に変位させる。そうすると、楔孔１２１の変位に伴って発生する楔作用により係止アーム１０７が内側に押し萎められて、パネルＰからクリップが取り外せるようになる。
【００１２】
図７及び図８は特許文献２に記載のクリップを示している。
【００１３】
このクリップは、スカート部１１０（図５及び図６参照）が省略されており、係止アーム１０７の自由端１０９に、単なる板状の係止解除片１１２が一体に連結されている。この係止解除片１１２は、パネルＰへの係合時にベース１０２側に存在するもので、係止アーム１０７と一体となって係止アーム１０７の開き方向に延びている。その他の構成は、図５及び図６に示したクリップと同様であるから、同一構成要素に同一符号を付して説明を省略する。
【００１４】
このクリップは、図８に示すパネルＰの取付孔Ｐａへの係合状態において、係止解除片１１２がベース１０２側に位置しているので、パネルＰの表側（ベース１０２のある側）から係止解除片１１２を矢印Ａ方向に操作して、係止アーム１０７を強制的に点線で示すように窄ませることにより、パネルＰの取付孔Ｐａから取り外すことができる。
【特許文献１】特開２００１−３３６６７０号公報
【特許文献２】実開平６−６９５５７号公報
【発明の開示】
【発明が解決しようとする課題】
【００１５】
ところで、図５及び図６に示すクリップは、パネルＰの取付孔Ｐａに係合する係止アーム１０７と、パネルＰの表面に押圧接触するスカート部１１０が別々に分離して付いているので、小さい外力でスカート部１１０が動いてしまう可能性あり、ガタつきを生じやすいという問題があった。
【００１６】
また、図７及び図８に示すクリップは、係止アーム１０７の自由端１０９に係止解除片１１２を連結しているが、係止解除片１１２は特にバネ性を有するものではないので、係合時にガタ付きを生じやすいという問題があった。
【００１７】
本発明は、上記事情を考慮し、ガタつきなくパネルの取付孔に係合させることができると共に、取り外す場合には容易に取り外すことのできるパネル係合用クリップを提供することを目的とする。
【課題を解決するための手段】
【００１８】
請求項１の発明は、ベースと、該ベースに突設された支柱と、該支柱の先端から前記ベース側に斜めに延びて径方向内方に撓み変形可能であり、前記支柱の先端と共に、パネルの取付孔に挿入される略紡錘形状の係合頭部を構成する複数の係止アームと、該各係止アームの自由端側に設けられ、前記係合頭部がパネルの取付孔に挿入された際に、パネルの取付孔の孔縁にパネルの裏側から係合することで係合頭部の抜けを阻止する係合段差と、前記ベースと前記係止アームの間に配置され、前記パネルの取付孔への前記係合頭部の係合時に、パネルの表面に押圧接触して係合のガタを吸収するバネ性を有したスカート部と、を具備するパネル係合用クリップにおいて、前記各係止アームの自由端を前記スカート部まで延長すると共に、前記スカート部を前記各係止アームに対応させて分割し、該分割した各スカート部を、前記各係止アームの自由端に一体に連結したことを特徴とする。
【発明の効果】
【００１９】
請求項１の発明によれば、バネ性を有するスカート部を係止アームに対応させて分割し、各係止アームの自由端に、分割したスカート部をそれぞれ連結しているので、スカート部を直接操作して係止アームを窄ませたり、スカート部と係止アームの自由端の連結部付近にＹ字形の治具を差し込んで係止アームを窄ませたりすることにより、容易にパネルの取付孔からクリップを破損せずに取り外すことができる。また、スカート部と係止アームが一体となっているので、確実にパネルにガタつきなくクリップを係合させることができ、小さい外力でスカート部が動いてしまいガタついてしまうようなことがない。
【発明を実施するための最良の形態】
【００２０】
以下、本発明の実施形態を図面を参照して説明する。
【００２１】
図１は実施形態のクリップの斜視図、図２は同クリップの係合時の状態を示す図で、図２（ａ）は平面図、図２（ｂ）は側断面図、図３は同クリップの係合解除時の状態を示す図で、図３（ａ）は平面図、図３（ｂ）は側断面図である。
【００２２】
このクリップ１は、合成樹脂により一体に成形されたものであり、ワイヤーハーネス側に固定されるベース２と、このベース２に突設された支柱５と、該支柱５の先端からベース２側に斜めに延びて径方向内方に撓み変形可能であり、支柱５の先端と共に、パネルＰの取付孔Ｐａに挿入される略紡錘形状の係合頭部６を構成する複数の係止アーム７と、各係止アーム７の自由端９側に設けられ、係合頭部６がパネルＰの取付孔Ｐａに挿入された際に、パネルＰの取付孔Ｐａの孔縁にパネルＰの裏側から係合することで係合頭部６の抜けを阻止する係合段差８と、ベース２と係止アーム７の間に配置され、パネルＰの取付孔Ｐａへの係合頭部６の係合時に、パネルＰの表面に押圧接触して係合のガタを吸収するバネ性を有した円錐形のスカート部１０と、を有し、ベース２には、ワイヤーハーネス（図示略）の外周に巻き付けたバンド３を係止するための係止孔４が設けられている。
【００２３】
そして、各係止アーム７の自由端９がスカート部１０まで延長されており、スカート部が各係止アーム７に対応して分割され、分割され各スカート部１０が各係止アーム７の自由端９に一体に連結されている。
【００２４】
このクリップ１をパネルＰに固定する場合は、図２に示すように、係合頭部６をパネルＰの取付孔Ｐａに挿入する。そうすると、挿入するに従い、係止アーム７が取付孔Ｐａの孔縁に当たり係止アーム７が径方向内方に窄まる。係止アーム７が窄まった状態で更に係合段差８の位置まで係合頭部６が挿入されると、係止アーム７が開側（外側）に弾性復帰し、それにより、係合段差８がパネルＰの裏側から取付孔Ｐａの孔縁に係合することになり、係合頭部６が抜け止めされる。同時に、パネルＰの表側の面にスカート部１０の外周縁が押圧接触し、そのスカート部１０のバネ性により、係合頭部６の係合のガタつきが吸収される。
【００２５】
このように、スカート部１０と係止アーム７が一体となっていることにより、確実にパネルＰにガタつきなくクリップ１を係合させることができ、小さい外力でスカート部１０が動いてガタつきが生じてしまうようなことがなくなる。
【００２６】
また、クリップ１を取り外す場合は、図３に示すように、スカート部１０と係止アーム７の自由端９の連結部付近に、図４に示すようなＹ字形の治具２０の一対の挟み片２１を差し込んで、係止アーム７を内方に窄ませながら、係合頭部６を取付孔Ｐａから引き抜く。そうすることで、容易にパネルＰの取付孔Ｐａからクリップ１を破損せずに取り外すことができる。
【００２７】
なお、治具２０を用いずに、スカート部１０を直接操作して係止アーム７を内側に変形させて、クリップ１を取り外すこともできる。
【図面の簡単な説明】
【００２８】
【図１】本発明の実施形態のクリップの斜視図である。
【図２】同クリップの係合時の状態を示す図で、（ａ）は平面図、（ｂ）は側断面図である。
【図３】同クリップの係合解除時の状態を示す図で、（ａ）は平面図、（ｂ）は側断面図である。
【図４】クリップを取り外すための治具の構成を示す斜視図である。
【図５】従来のクリップの構成を示す斜視図である。
【図６】同クリップの係合時の状態を示す側断面図である。
【図７】従来の別のクリップの構成を示す斜視図である。
【図８】同クリップの係合時の状態を示す側断面図である。
【符号の説明】
【００２９】
１  クリップ
２  ベース
５  支柱
６  係合頭部
７  係止アーム
８  係合段差
９  自由端
１０  スカート部
【図１】
2008291979.tif 000003
【図２】
2008291979.tif 000004
【図３】
2008291979.tif 000005
【図４】
2008291979.tif 000006
【図５】
2008291979.tif 000007
【図６】
2008291979.tif 000008
【図７】
2008291979.tif 000009
【図８】
2008291979.tif 000010